(57)【要約】      （修正有）【課題】端末と接続されたデバイスによる施術を受けているユーザーに対して効果的に広告を配信するための技術を提供する。【解決手段】端末０１０３と近距離で接続され、体に近接して利用されるデバイス０１０２による施術を受けているユーザー０１０１に対して広告を配信することによって、配信された広告がユーザーに視認される可能性を大幅に高め、また、ユーザーが購入手続を行うための画面を端末に表示することで、広告配信から商品購入に至るまでのプロセスを大幅に短縮する。【選択図】図１
2014089363.tif 000002
【特許請求の範囲】
【請求項１】
端末により制御され、美容、健康、身体生理学的情報の測定のいずれか一以上を目的として利用される部位を有し、体に近接して利用されるデバイスと、前記デバイスの動作を制御する制御部と、宣伝を出力する宣伝出力部と、制御部ＧＵＩと、出力される宣伝とを同時に表示可能な表示部と、を有する前記デバイスと近距離で接続される端末と、からなる宣伝システム。
【請求項２】
前記端末は、宣伝出力部から出力される宣伝のための情報である宣伝情報を取得する宣伝情報取得部と、デバイス制御状況を示すデバイス制御状況情報を出力するデバイス制御状況情報出力部と、をさらに有するとともに、前記端末のデバイス制御状況情報を取得するデバイス制御状況情報取得部と、取得したデバイス制御状況情報の出力元端末に対し制御状況情報に応じて宣伝情報を出力する第一宣伝情報出力部と、を有するサーバ装置をさらに有する請求項１に記載の宣伝システム。
【請求項３】
前記端末は、デバイスの識別情報を取得するデバイス識別情報取得部と、取得したデバイス識別情報をサーバ装置に送信するデバイス識別情報送信部と、をさらに有し、前記サーバ装置は、デバイス識別情報を取得するデバイス識別情報取得部と、前記第一宣伝情報出力部に代えて、取得したデバイス識別情報、制御状況情報、デバイス識別情報と制御状況情報の組合情報のいずれか一以上の情報に応じて宣伝情報を出力する第二宣伝情報出力部をさらに有する請求項２に記載の宣伝システム。
【請求項４】
前記端末は、出力した宣伝に係る商品又はサービスの購入手続をするための購入手続情報を出力する購入手続情報出力部をさらに有する請求項１ないし３のいずれか一に記載の宣伝システム。
【請求項５】
体に近接して利用されるデバイスと、デバイスと近距離で接続される端末と、からなる宣伝システムの動作方法であって、デバイスにて、端末により制御され、美容、健康、身体生理学的情報の測定のいずれか一以上を目的として利用される部位を動作させる動作ステップを実行し、端末にて、デバイスの動作を制御する制御ステップと、宣伝を出力する宣伝出力ステップと、制御部ＧＵＩと、出力される宣伝とを表示部に同時に表示する表示ステップと、を実行する宣伝システムの動作方法。
【請求項６】
体に近接して利用されるデバイスと、デバイスと近距離で接続される端末と、からなる宣伝システムを制御するプログラムであって、デバイスにて、端末により制御され、美容、健康、身体生理学的情報の測定のいずれか一以上を目的として利用される部位を動作させる動作ステップを実行させ、端末にて、デバイスの動作を制御する制御ステップと、宣伝を出力する宣伝出力ステップと、制御部ＧＵＩと、出力される宣伝とを表示部に同時に表示する表示ステップと、を実行させるプログラム。
【発明の詳細な説明】
【技術分野】
【０００１】
本発明は、端末を利用して広告を配信するシステムにおいて、端末と近距離で接続され、体に近接して利用されるデバイスによる施術を受けているユーザーに対して効果的に広告を配信するための技術に関する。
【背景技術】
【０００２】
従来、端末を利用した商品宣伝手段として、カタログ型アプリケーションを利用して広告を配信する技術が提供されている。他にも、ウェブサイトの一部にバナー広告を表示させる技術や、商品の宣伝のための文章を内容とするメールを配信する技術が提供されている。
【０００３】
また、施術中の時間を利用した商品宣伝手段として、例えば特許文献１にて、ユーザーが施術を受けている間に視覚器官及び聴覚器官に生ずる待ち時間を利用して、施術施設に設置された広告手段から広告を配信する技術が提供されている。
【特許文献１】特開２００７−２１９４６０号公報
【発明の開示】
【発明が解決しようとする課題】
【０００４】
しかし、上記従来の技術では、広告者が配信のタイミングをコントロールできず、また、配信された広告が実際にユーザーによって視認されるとは限らないという難点があった。さらに、広告手段が施術施設に設置されている場合においては、ユーザーが視認した広告に係る商品を直ちに購入することができず、広告配信から商品購入に至るまでのプロセスが長いという難点があった。
【課題を解決するための手段】
【０００５】
以上の課題を解決するために、本発明は、端末と接続されたデバイスによる施術を受けているユーザーに対して効果的に広告を配信するための技術を提供する。
【０００６】
本発明が提供する宣伝システムは、具体的には、次のような宣伝システムである。
第１発明では、端末により制御され、美容、健康、身体生理学的情報の測定のいずれか一以上を目的として利用される部位を有し、体に近接して利用されるデバイスと、デバイスの動作を制御する制御部と、宣伝を出力する宣伝出力部と、制御部ＧＵＩと、出力される宣伝とを同時に表示可能な表示部と、を有するデバイスと近距離で接続される端末と、からなる宣伝システムを提供する。
【０００７】
第２発明では、第１発明を基本として、端末が、宣伝出力部から出力される宣伝のための情報である宣伝情報を取得する宣伝情報取得部と、デバイス制御状況を示すデバイス制御状況情報を出力するデバイス制御状況情報出力部と、をさらに有するとともに、端末のデバイス制御状況情報を取得するデバイス制御状況情報取得部と、取得したデバイス制御状況情報の出力元端末に対し制御状況情報に応じて宣伝情報を出力する第一宣伝情報出力部と、を有するサーバ装置をさらに有する宣伝システムを提供する。
【０００８】
第３発明では、第２発明を基本として、端末が、デバイスの識別情報を取得するデバイス識別情報取得部と、取得したデバイス識別情報をサーバ装置に送信するデバイス識別情報送信部と、をさらに有し、サーバ装置が、デバイス識別情報を取得するデバイス識別情報取得部と、第一宣伝情報出力部に代えて、取得したデバイス識別情報、制御状況情報、デバイス識別情報と制御状況情報の組合情報のいずれか一以上の情報に応じて宣伝情報を出力する第二宣伝情報出力部をさらに有する宣伝システムを提供する。
【０００９】
第４発明では、第１発明ないし第３発明のいずれか一を基本として、端末が、出力した宣伝に係る商品又はサービスの購入手続をするための購入手続情報を出力する購入手続情報出力部をさらに有する宣伝システムを提供する。
【００１０】
第５発明では、体に近接して利用されるデバイスと、デバイスと近距離で接続される端末と、からなる宣伝システムの動作方法であって、デバイスにて、端末により制御され、美容、健康、身体生理学的情報の測定のいずれか一以上を目的として利用される部位を動作させる動作ステップを実行し、端末にて、デバイスの動作を制御する制御ステップと、宣伝を出力する宣伝出力ステップと、制御部ＧＵＩと、出力される宣伝とを表示部に同時に表示する表示ステップと、を実行する宣伝システムの動作方法を提供する。
【００１１】
第６発明では、体に近接して利用されるデバイスと、デバイスと近距離で接続される端末と、からなる宣伝システムを制御するプログラムであって、デバイスにて、端末により制御され、美容、健康、身体生理学的情報の測定のいずれか一以上を目的として利用される部位を動作させる動作ステップを実行させ、端末にて、デバイスの動作を制御する制御ステップと、宣伝を出力する宣伝出力ステップと、制御部ＧＵＩと、出力される宣伝とを表示部に同時に表示する表示ステップと、を実行させるプログラムを提供する。
【発明の効果】
【００１２】
本発明によって、端末と近距離で接続され、体に近接して利用されるデバイスによる施術を受けているユーザーに対して広告を配信することができ、配信された広告がユーザーに視認される可能性を大幅に高めることが可能となる。また、端末には、ユーザーが購入手続を行うための画面も表示されるため、ユーザーが視認した広告に係る商品又はサービスを直ちに購入することが可能となり、広告配信から商品購入に至るまでのプロセスが大幅に短縮される。
【発明を実施するための形態】
【００１３】
以下に、図を用いて本発明の実施の形態を説明する。なお、本発明はこれら実施の形態に何ら限定されるものではなく、その要旨を逸脱しない範囲において、種々の態様で実施しうる。実施例１は、主に請求項１、５、６について説明する。実施例２は、主に請求項２について説明する。実施例３は、主に請求項３について説明する。実施例４は、主に請求項４について説明する。
<<実施例１>>
<概要>
【００１４】
図１は、本実施例の宣伝システムによって行われる広告配信の一例を表す概念図である。図１に示すように、ユーザー（０１０１）が、デバイス（０１０２）による施術を受けている間、ユーザーの体と端末（０１０３）との距離は、端末とデバイスとの接続手段（０１０４）によって制約されている。また、端末のディスプレイ（０１０５）には、施術終了までの時間（０１０６）や、ユーザーがタッチパネル操作によって施術を制御するためのＧＵＩ（０１０７）が表示されている。したがって、施術中のユーザーの目は、必然的に端末のディスプレイに固定されることとなり、その結果、ディスプレイに表示された宣伝（０１０８）がユーザーによって確実に視認される。
<機能的構成>
【００１５】
図２は、本実施例の宣伝システムにおける機能ブロックの一例を表す図である。図２に示すように、本実施例の宣伝システムは、「デバイス」（０２０１）と、「端末」（０２０２）と、からなる。
【００１６】
なお、この発明は宣伝装置として実現できるのみでなく、方法としても実現可能である。また、このような発明の一部をソフトウェアとして構成することができる。さらに、そのようなソフトウェアをコンピュータに実行させるために用いるソフトウェア製品、及びそのような製品を固定した記録媒体も、当然にこの発明の技術的範囲に含まれる（本明細書の全体を通じて同様である）。
【００１７】
本実施例における「デバイス」は、端末により制御され、美容、健康、身体生理学的情報の測定のいずれか一以上を目的として利用される部位を有し、体に近接して利用されることを特徴とする。ここにいう「美容、健康、身体生理学的情報の測定のいずれか一以上を目的として」の「利用」とは、具体的には、美容を増進させる目的での利用、健康を増進させる目的での利用、身体生理学的情報を測定する目的での利用、等を意味する。
【００１８】
デバイスは、体に近接して利用されるものであればよく、体に対して直接的な物理的作用を加えるものでなくともよい。また、例えば美容パックのように体に密着して利用されるものであっても、体に近接して利用されるデバイスに含まれる。
【００１９】
「近接」とは、具体的には、デバイスと体との距離が約１メートル以内であることが望ましい。本実施例においては、デバイスと体とを有線又は無線の接続手段によって接続することによって、ユーザーの体がデバイスに近接していることを施術の要件とするものである。このように構成することによって、施術中のユーザーの行動が制約され、宣伝の視認可能性をより高めることが可能となる。
【００２０】
美容を目的として利用される部位を有するデバイスの例としては、具体的には、イオン導入、超音波出力、オゾン出力、ミストシャワー、ローラー回転、毛穴吸引、あるいはこれらの組合せによる美顔器、肌の角質をはがしやすくするために光を照射する機器、加圧や振動による目元美容機器、回転振動によるダイエット機器、等が挙げられる。
【００２１】
また、健康を目的として利用される部位を有するデバイスの例としては、マッサージ機器等が挙げられる。さらに、身体生理学的情報の測定を目的として利用される部位を有するデバイスの例としては、体脂肪計、皮膚の水分率やｐＨを測定する機器、等が挙げられる。
【００２２】
デバイスの動作は、後に詳述する制御部によって制御される。具体的には、ユーザーは、端末の画面に表示された制御部ＧＵＩを操作することによって、施術を開始又は終了させたり、流れる電流の強弱を制御したりすることができる。
【００２３】
本実施例における「端末」は、「制御部」（０２０３）と、「宣伝出力部」（０２０４）と、「表示部」（０２０５）と、を有し、前記デバイスと近距離で接続されることを特徴とする。「端末」の具体的な例としては、スマートフォン、携帯電話、パソコン等が挙げられる。
【００２４】
「制御部」は、前記デバイスの動作を制御する機能を有する。ユーザーが、後に詳述する制御部ＧＵＩを操作すると、デバイスの動作を制御するための情報である制御情報が発生し、発生した制御情報は、デバイスに送信される。そして、デバイスは、送信された制御情報に応じた動作を行う。
【００２５】
具体的には、ユーザーが、端末の画面に表示された「ＯＮ」ボタンを押すことによって、施術を開始する旨の命令がデバイスに送信される。すると、電極から、ユーザーの皮膚に微弱な電流が流され、イオン導入が開始される、といった具合である。
【００２６】
「宣伝出力部」は、後に詳述する表示部に表示される宣伝を出力する機能を有する。「宣伝」とは、ユーザーによる商品又はサービスの購入に向けられた情報であって、具体的には、電子書籍、バナー広告、パンフレットやカタログの画像、音声データ、楽曲データ、等が挙げられる。さらに、ここにいう「宣伝」には、商品等の情報が具体的に記載された電子書籍等へジャンプするためのアイコン等のリンクも含まれる。
【００２７】
なお、宣伝は、ユーザーが読み終えるために施術時間と同程度の時間を要する情報量によって構成されていることが望ましい。このように構成することによって、施術時間内に提供される商品又はサービスに関する情報の量を最大化し、広告配信の効果をより高めることが可能となる。また、限られた時間内でユーザーにより多くの情報を提供するために、宣伝は、画像やテキストといった視覚的情報と音声情報との組み合わせによって構成されていることが望ましい。
【００２８】
「表示部」は、制御部ＧＵＩと、出力される宣伝とを同時に表示する機能を有する。具体的には、スマートフォンの画面を上下に二分割し、上半分には宣伝が表示され、下半分には、施術の残り時間と、施術の強弱を調整するためのボタンと、が表示される、といった具合である。なお、このような分割方法は一例にすぎず、制御部ＧＵＩと宣伝とを同時に表示するための画面構成は何ら限定されない。
【００２９】
また、ここにいう「同時に」とは、厳密な意味での同時刻である必要はなく、例えば、数秒程度の短い間隔で制御部ＧＵＩと宣伝とが交互に切り替わるような、略同時的な表示形態もこれに含まれる。
【００３０】
図３ａは、本実施例において、デバイスがイオン導入美顔器である場合の制御部ＧＵＩの一例である。図３ａに示すように、ユーザーは、制御部ＧＵＩのタッチパネル操作によって、施術の開始又は終了を命令したり、電流の強弱を調整したりすることができる。図３ｂは、本実施例において、デバイスが同時に複数の種類の刺激を与える美容機器である場合の制御部ＧＵＩの一例である。図３ｂに示すように、ユーザーは、制御部ＧＵＩのタッチパネル操作によって、施術に用いる刺激の種類をＡ・Ｂ・Ｃの中から一つ又は複数選択したり、選択した刺激の強弱を調整したりすることができる。図３ｃは、本実施例において、デバイスが超音波美顔器である場合の制御部ＧＵＩの一例である。図３ｃに示すように、ユーザーは、制御部ＧＵＩのタッチパネル操作によって、施術の開始又は終了を命令したり、超音波の強弱を調整したりすることができる。
【００３１】
本実施例における表示部は、制御部ＧＵＩと宣伝とを常に同時に表示するものでなくとも良い。具体的には、施術中にのみ制御部ＧＵＩと宣伝とを同時に表示し、それ以外の場合には制御部ＧＵＩのみを表示するものであっても良い。
<ハードウェア的構成>
【００３２】
図４は、上記機能的な各構成要件をハードウェアとして実現した際の、宣伝装置における構成の一例を示す概略図である。この図を利用して端末におけるそれぞれのハードウェア構成部の働きについて説明する。
【００３３】
この図にあるように、端末は、各種演算処理を行い、かつ制御部及び宣伝出力部である「ＣＰＵ」（０４０１）と、「主メモリ」（０４０２）と、を備えている。また、各種プログラムや出力する宣伝を保持する「ＨＤＤ」（０４０３）や「ＳＤカード」といった不揮発性メモリと、表示部であるディスプレイとの入出力を行うための「Ｉ／Ｏ」（０４０４）も備えている。そしてそれらが「システムバス」などのデータ通信経路によって相互に接続され、情報の送受信や処理を行う。
【００３４】
主メモリにはプログラムが読み出され、ＣＰＵは読み出された当該プログラムを参照することで各種演算処理を実行する。また、この主メモリにはそれぞれ複数のアドレスが割り当てられており、ＣＰＵの演算処理においては、そのアドレスを特定し格納されているデータにアクセスすることで、データを用いた演算処理を行うことが可能になっている。
【００３５】
なお、上記のようにこのハードウェア構成例では宣伝を端末自身が保持している構成を例に挙げているが、もちろんそれには限定されず、「通信ＩＦ」（０４０５）を介してネットワーク上のサーバ等に保持されている宣伝を参照する構成などであっても良い。
【００３６】
ここで、ユーザーが例えばタッチパネルから施術を開始するための操作を行う。すると、施術を開始する旨の制御情報が発生し、当該制御情報が通信ＩＦにてデバイスに送信され、デバイスは当該制御情報に従って施術を開始する。そして、端末にて、ＣＰＵは、施術開始をトリガーとして、制御プログラム、宣伝出力プログラム、及び表示プログラムに従った以下の処理を実行する。
【００３７】
すなわち、まず、宣伝出力プログラムに従って、ＨＤＤに保持されている宣伝を、主メモリのアドレス１に読み出す。続いて、制御プログラムに従って、制御部ＧＵＩを表示するための情報を主メモリのアドレス２に読み出す。そして、表示プログラムに従って、表示処理を実行し、制御部ＧＵＩ及び宣伝がＩ／Ｏによって出力される。具体的には、これらの情報がディスプレイに表示され、ユーザーが施術を制御したり宣伝を視認したりすることが可能となる。
【００３８】
ここで、ユーザーが例えばタッチパネルによって制御部ＧＵＩを操作すると、操作内容に応じた制御情報が発生し、主メモリのアドレス３に格納される。そして、発生した制御情報は通信ＩＦにてデバイスへ送信され、デバイスは、当該制御情報に応じた施術を行う。
【００３９】
図５は、上記機能的な各構成要件をハードウェアとして実現した際の、デバイスにおけるハードウェア構成の一例を示す概念図である。この図にあるように、デバイスは、「電源」と、「高周波制御部」と、「出力部」と、「通信ＩＦ」と、「電極」と、を備えている。電極は、ユーザーの体と密接した状態で用いられ、イオン導入のためにユーザーの皮膚に電流を流す機能を有する。
【００４０】
デバイスの電源は、端末によって供給されるか否かを問わない。具体的には、デバイスと端末とを接続するＵＳＢケーブルから「通信ＩＦ」を介して供給されるものであっても良く、あるいは、デバイス自体に備えられたバッテリー、電池、太陽光発電装置等の電源装置によって供給されるものであっても良い。
<処理の流れ>
【００４１】
図６を参照する。図６は、本実施例の宣伝システムにおける宣伝の手順を示すフローチャートである。図６に示すように、まず、ユーザーがデバイスの電源をＯＮにした場合（ステップＳ１）、制御プログラムが稼動し（ステップＳ２）、続いて宣伝プログラムが稼動し（ステップＳ３）、ディスプレイに制御部ＧＵＩが表示され（ステップＳ４）、施術を開始するか否かが判断される（ステップＳ５）。
【００４２】
施術が開始して、表示すべき宣伝があると判断された場合（ステップＳ６）、ディスプレイに制御部ＧＵＩと共に宣伝を表示する（ステップＳ７）。そして、宣伝が終了したと判断された場合（ステップＳ８）、ディスプレイに表示された宣伝を消去し（ステップＳ９）、再度、表示すべき宣伝の有無を判断する。他方、ステップＳ８において宣伝が終了していないと判断され、かつ、施術が終了したと判断された場合（ステップＳ１０）、ユーザーがデバイスの電源をＯＦＦにすることによって（ステップＳ１１）、処理を終了する。他方、ステップＳ８において施術が終了していないと判断された場合、再度、表示すべき宣伝の有無を判断する。この場合においては、宣伝が終了していないことから、当然に表示すべき宣伝があると判断されることとなる。
<効果の簡単な説明>
【００４３】
本発明によれば、端末と近距離で接続され、体に近接して利用されるデバイスによる施術を受けているユーザーに対して広告を配信することができ、配信された広告がユーザーに視認される可能性を大幅に高めることが可能となる。
<<実施例２>>
<概要>
【００４４】
本実施例は、実施例１を基本として、デバイスの動作開始を契機として端末に広告が配信される機能をさらに備える宣伝システムである。
<機能的構成>
【００４５】
図７は、本実施例の宣伝システムにおける機能ブロックの一例を表す図である。なお、デバイスの構成要件の一例については、上記実施例１で記載したものと同様であるので図示は省略する。
【００４６】
図７に示すように、本実施例の「端末」（０７０２）は、実施例１と同様に、「制御部」（０７０３）と、「宣伝出力部」（０７０４）と、「表示部」（０７０５）と、を有する。なお、これらの構成要件については、実施例１において記載済みであるのでその説明は省略する。
【００４７】
本実施例における宣伝システムの特徴は、「端末」が、「宣伝情報取得部」（０７０６）と、「デバイス制御状況情報出力部」（０７０７）と、をさらに有するとともに、システムに「サーバ装置」（０７０８）が備えられており、サーバ装置が、「デバイス制御状況情報取得部」（０７０９）と、「第一宣伝情報出力部」（０７１０）と、を有する点である。
【００４８】
「宣伝情報取得部」は、後に詳述するサーバ装置の第一宣伝情報出力部から出力される宣伝情報を取得する機能を有する。「宣伝情報」とは、宣伝出力部が宣伝を出力するために用いられる情報である。
【００４９】
本実施例における「宣伝」は、あらかじめ端末に保存されているデータでもよく、表示される度にサーバ装置から送信されるデータであってもよい。前者の場合における「宣伝情報」は、具体的には、端末に保存された複数のデータの中から表示する宣伝を選択するための命令等である。後者の場合における「宣伝情報」は、具体的には、バナー画像や、電子書籍のデータファイル等である。
【００５０】
「デバイス制御状況情報出力部」は、後に詳述するサーバ装置のデバイス制御状況情報取得部に対して、デバイス制御状況を示すデバイス制御状況情報を出力する機能を有する。「デバイス制御状況情報」は、具体的には、デバイスが動作中であるか否かに関する情報、施術の残り時間や強弱に関する情報、デバイスがユーザーに対して与える刺激の種類、等である。
【００５１】
「デバイス制御状況情報取得部」は、端末のデバイス制御状況情報を取得する機能を有する。具体的には、デバイスにおいて施術が開始されると、施術が開始された旨の情報がデバイス制御状況情報出力部から出力され、この情報をデバイス制御状況情報取得部が取得することによって、サーバ装置において、デバイスの動作開始が把握される、といった具合である。
【００５２】
なお、本実施例においては、端末がデバイスから情報を取得する構成となっていることから、デバイスが当該情報を出力する機能を構成要件として備えていることを前提としている。この点は、共通の構成を有する他の実施例においても同様である。
【００５３】
「第一宣伝情報出力部」は、取得したデバイス制御状況情報の出力元端末に対し制御状況情報に応じて宣伝情報を出力する機能を有する。具体的には、デバイス制御状況情報取得部にて施術が開始された旨の情報を取得すると、電子書籍のデータファイルが出力され、出力されたデータファイルが端末に送信されることによって、表示部に電子書籍が表示される、といった具合である。
<効果の簡単な説明>
【００５４】
本発明によれば、端末と近距離で接続され、体に近接して利用されるデバイスによる施術を受けているユーザーに対して広告を配信することができ、配信された広告がユーザーに視認される可能性を大幅に高めることが可能となる。
<<実施例３>>
<概要>
【００５５】
本実施例は、実施例２を基本として、デバイスの識別情報に応じて異なる広告が配信される機能をさらに備える宣伝システムである。
<機能的構成>
【００５６】
図８は、本実施例の宣伝システムにおける機能ブロックの一例を表す図である。なお、「デバイス」の構成要件の一例については、上記実施例１で記載したものと同様であるので図示は省略する。図８に示すように、本実施例の「端末」（０８０２）は、実施例２と同様に、「制御部」（０８０３）と、「宣伝出力部」（０８０４）と、「表示部」（０８０５）と、「宣伝情報取得部」（０８０６）と、「デバイス制御状況情報出力部」（０８０７）と、を有する。また、本実施例の「サーバ装置」（０８０８）は、実施例２と同様に、「デバイス制御状況情報取得部」（０８０９）を有する。なお、これらの構成要件については、実施例２において記載済みであるのでその説明は省略する。
【００５７】
本実施例における宣伝システムの特徴は、「端末」が、「デバイス識別情報取得部」（０８１１）と、「デバイス識別情報送信部」（０８１２）と、をさらに有する点と、「サーバ装置」が、「デバイス識別情報取得部」（０８１３）をさらに有し、「第一宣伝情報出力部」に代えて「第二宣伝情報出力部」（０８１４）を有する点である。
【００５８】
端末の「デバイス識別情報取得部」は、デバイス識別情報を取得する機能を有する。「デバイス識別情報」は、デバイスから自動的に取得可能な情報であっても良く、デバイスから取得した情報にユーザーが端末において追加した情報であっても良い。本実施例においては、複数のデバイスを端末に対して取替可能なインターフェースを前提としているため、前者の例としては、具体的には、デバイスの機種、製造番号、等が考えられる。また、後者の例としては、具体的には、ユーザーの性別、年齢、家族構成、興味のある分野、通信のための端末のアドレス、ユーザーＩＤ、等が考えられる。
【００５９】
「デバイス識別情報送信部」は、取得したデバイス識別情報をサーバ装置に送信する機能を有する。具体的には、ユーザーがデバイスを端末に接続すると、デバイス識別情報取得部がデバイスの機種、製造番号等に関する情報を取得し、デバイス識別情報送信部によってサーバ装置に送信される、といった具合である。
【００６０】
サーバ装置の「デバイス識別情報取得部」は、端末からデバイス識別情報を取得する機能を有する。取得されたデバイス識別情報は、単独で、又は、前記デバイス制御状況情報との組合せによって、後に詳述する第二宣伝情報出力部が宣伝情報を出力するために利用される。
【００６１】
「第二宣伝情報出力部」は、取得したデバイス識別情報、制御状況情報、デバイス識別情報と制御状況情報の組合情報のいずれか一以上の情報に応じて宣伝情報を出力する機能を有する。具体的には、デバイスが主に３０代女性をターゲットとした美容機器である旨のデバイス識別情報を取得した場合には、３０代女性向けの商品の紹介記事を出力する、といった具合である。また、デバイスの作動部位が目元である旨のデバイス制御状況情報を取得した場合には、目元の美容や健康等に効果を有する商品の紹介記事を出力する、といった具合である。また、デバイスが主に３０代女性をターゲットとした美容機器である旨のデバイス識別情報と、デバイスが肌状態の測定に用いられている旨のデバイス制御状況情報と、を取得した場合には、３０代女性の肌状態の改善に効果を有する商品の紹介記事を出力する、といった具合である。
<ハードウェア的構成>
【００６２】
図９は、上記機能的な各構成要件をハードウェアとして実現した際の、宣伝システムを構成する端末における構成の一例を表す概略図である。この図を利用して宣伝出力などの処理におけるそれぞれのハードウェア構成部の働きについて説明する。
【００６３】
この図にあるように、端末は、各種演算処理を行い、かつ制御部、宣伝出力部、デバイス制御状況情報出力部、及びデバイス識別情報送信部である「ＣＰＵ」と、「主メモリ」と、を備えている。また、各種データベースを保持する「ＨＤＤ」や「ＳＤカード」といった不揮発性メモリと、表示部である「Ｉ／Ｏ」と、宣伝情報取得部及びデバイス識別情報取得部である「通信ＩＦ」も備えている。そしてそれらが「システムバス」などのデータ通信経路によって相互に接続され、情報の送受信や処理を行う。
【００６４】
ここで、例えば、ユーザーが端末のタッチパネルからデバイスの施術開始の指示を行う。するとデバイスが施術を開始し、デバイスの施術開始をトリガーとして、ＣＰＵはデバイス識別情報取得プログラム及びデバイス制御状況情報出力プログラムに従って以下の処理を行う。
【００６５】
まず、通信ＩＦによってデバイス識別情報を取得し、取得したデバイス識別情報を主メモリのアドレス１に格納する。続いて、デバイスが施術を開始した旨のデバイス制御状況情報を出力し、出力したデバイス制御状況情報を主メモリのアドレス２に格納する。そして、これらのデバイス識別情報及びデバイス制御状況情報を通信ＩＦからサーバ装置に対して送信する。
【００６６】
そして、デバイスが施術を開始した旨のデバイス制御状況情報をサーバ装置が受信し、サーバ装置にて出力された宣伝情報が端末に送信されると、端末では、さらに以下の処理を実行することになる。すなわち、通信ＩＦにて宣伝情報を取得し、取得した宣伝情報を主メモリのアドレス３に格納する。続いて、宣伝出力プログラムに従って、宣伝情報に応じた宣伝を出力する。
【００６７】
そして、出力した宣伝を主メモリのアドレス４に格納し、表示プログラムに従って、当該宣伝及び制御部ＧＵＩをディスプレイに表示する処理を行う、といった具合である。すると、ユーザーは、施術を受けながら宣伝を視認し、かつ制御部ＧＵＩによって施術を制御することが可能となる。
【００６８】
ここで、ユーザーが制御部ＧＵＩを操作すると、端末では、さらに以下の処理を実行することになる。すなわち、制御プログラムに従って、ユーザーの指示に応じた制御情報を出力し、出力した制御情報を通信ＩＦからデバイスに対して送信する。すると、デバイスは、当該制御情報に従った動作を行う、といった具合である。
【００６９】
続いて、上記デバイス制御状況情報の送信に応じて宣伝情報の出力を行うサーバ装置のハードウェア構成の一例について、図１０を用いて説明する。
【００７０】
この図にあるように、サーバ装置は、各種演算処理を行い、かつ第二宣伝情報出力部である「ＣＰＵ」と「主メモリ」と、を備えている。また、各種データベースを保持する「ＨＤＤ」と、デバイス識別情報取得部及びデバイス制御状況情報取得部である「通信ＩＦ」も備えている。そして、それらが「システムバス」などのデータ通信経路によって相互に接続され、情報の送受信や処理を行う。
【００７１】
ここで前述のように、ユーザーの施術開始の指示により、デバイス識別情報及びデバイス制御状況情報が端末から送信され、このサーバ装置の通信ＩＦにて受信される。するとこのサーバ装置は、通信ＩＦにて取得したデバイス識別情報とデバイス制御状況情報とを、主メモリのアドレス１と２とにそれぞれ格納する。
【００７２】
そして、ＨＤＤに格納している宣伝データベースから、宣伝を主メモリのアドレス３に順次読み出し、第二宣伝情報出力プログラムに従って、配信する宣伝を選択する判断処理をＣＰＵの論理演算処理によって実行する。判断処理の結果、選択された宣伝に関する情報を、第二宣伝情報として主メモリのアドレス４に格納する。そして、通信ＩＦにて、第二宣伝情報を端末に対して送信する、といった具合である。
<処理の流れ>
【００７３】
まず、図１１を参照する。図１１は、本実施例の宣伝システムにおける端末の処理の手順を示すフローチャートである。図１１に示すように、まず、ユーザーがデバイスの電源をＯＮにした場合（ステップＳ１）、制御プログラム及び宣伝プログラムが稼動し（ステップＳ２）、制御部ＧＵＩが表示される（ステップＳ３）。そして、施術が開始したと判断された場合（ステップＳ４）、デバイスから取得したデバイス識別情報を出力し（ステップＳ５）、続いて、デバイス制御状況情報を出力し（ステップＳ６）、これらの情報をサーバ装置に送信する（ステップＳ７）。
【００７４】
ここで、サーバ装置から宣伝情報の送信があったと判断された場合（ステップＳ８）、取得した宣伝情報に従って宣伝を出力し（ステップＳ９）、出力した宣伝を制御部ＧＵＩと共にディスプレイに表示する（ステップＳ１０）。
【００７５】
そして、施術が終了したと判断され（ステップＳ１１）、かつ、ユーザーが電源をＯＦＦにした場合（ステップＳ１２）、処理を終了する。他方、ステップＳ８において宣伝情報の送信がないと判断された場合、及び、ステップＳ１１において施術が終了していないと判断された場合には、再度サーバ装置にデバイス識別情報及びデバイス制御状況情報を送信することによって、宣伝情報の送信を要求する。ただし、既に送信された宣伝情報で足りる場合には、新たな宣伝情報は送信されない。
【００７６】
次に、図１２を参照する。図１２は、本実施例の宣伝システムにおけるサーバ装置の処理の手順を示すフローチャートである。図１２に示すように、まず、端末からデバイス識別情報及びデバイス制御状況情報が送信された場合（ステップＳ１）、デバイス識別情報に応じて配信すべき宣伝を選択する（ステップＳ２）。次に、選択した宣伝に関する第二宣伝情報を出力する（ステップＳ３）。そして、出力した第二宣伝情報を端末に送信し（ステップＳ４）、処理を終了する。
<効果の簡単な説明>
【００７７】
本発明によれば、端末と近距離で接続され、体に近接して利用されるデバイスによる施術を受けているユーザーに対して広告を配信することができ、配信された広告がユーザーに視認される可能性を大幅に高めることが可能となる。
<<実施例４>>
<概要>
【００７８】
本実施例は、実施例１ないし３のいずれか一を基本として、ユーザーが宣伝に係る商品又はサービスの購入手続をするための機能をさらに備える宣伝システムである。
<機能的構成>
【００７９】
図１３は、本実施例の宣伝システムにおける機能ブロックの一例を表す図である。なお、「デバイス」（１３０１）の構成要件の一例については、実施例１で記載したものと同様である。図１３に示すように、本実施例の「端末」（１３０２）は、実施例１と同様に、「制御部」（１３０３）と、「宣伝出力部」（１３０４）と、「表示部」（１３０５）と、を有する。なお、これらの構成要件については、実施例１において記載済みであるのでその説明は省略する。本実施例の特徴は、「端末」が、「購入手続情報出力部」（１３１５）をさらに有する点である。
【００８０】
「購入手続情報出力部」は、宣伝出力部から出力された宣伝に係る商品又はサービスの購入手続をするための情報である購入手続情報を出力する機能を有する。出力された購入手続情報が表示部に表示されることによって、ユーザーは、宣伝に係る商品又はサービスを端末を利用して購入することが可能となる。
【００８１】
図１４は、本実施例における表示部の一例を示す概念図である。図１４に示すように、本実施例における表示部には、商品画像、商品に関する情報、ユーザーが購入を決定するためのボタン、等から構成される購入手続情報が表示されている。
【００８２】
購入手続情報は、所定の施術時間が経過して施術が終了した後、直ちに表示部に表示されることが望ましい。このように構成することによって、広告に関する記憶が鮮明に保持された状態のユーザーに対して商品又はサービスの購入を促すことが可能となり、ユーザーが購入に至る可能性が上昇する。
【００８３】
また、購入手続情報は、ユーザーが購入のために行う操作量を最小化するように構成されていることが望ましい。なぜなら、施術終了直後のユーザーは、端末に接続されたデバイスによって身体の動作を制約されており、購入のために必要となる操作量が増えるほど、
ユーザーが購入に至る可能性が低くなるためである。
<効果の簡単な説明>
【００８４】
本発明によれば、端末と近距離で接続され、体に近接して利用されるデバイスによる施術を受けているユーザーに対して広告を配信することができ、配信された広告がユーザーに視認される可能性を大幅に高めることが可能となる。また、端末には、ユーザーが購入手続を行うための画面も表示されるため、ユーザーが視認した広告に係る商品又はサービスを直ちに購入することが可能となり、広告の配信から購入に至るまでのプロセスが短縮される。
【図面の簡単な説明】
【００８５】
【図１】実施例１の宣伝システムによって行われる広告配信の一例を表す概念図
【図２】実施例１の宣伝システムにおける機能ブロックの一例を表す図
【図３ａ】実施例１において、デバイスがイオン導入美顔器である場合の制御部ＧＵＩの一例を表す図
【図３ｂ】実施例１において、デバイスが同時に複数の種類の刺激を与える美容機器である場合の制御部ＧＵＩの一例を表す図
【図３ｃ】実施例１において、デバイスが超音波美顔器である場合の制御部ＧＵＩの一例を表す図
【図４】実施例１の宣伝装置におけるハードウェア構成の一例を表す概略図
【図５】実施例１のデバイスにおけるハードウェア構成の一例を表す概念図
【図６】実施例１の宣伝システムにおける宣伝の手順を示すフローチャート
【図７】実施例２の宣伝システムにおける機能ブロックの一例を表す図
【図８】実施例３の宣伝システムにおける機能ブロックの一例を表す図
【図９】実施例３の宣伝システムを構成する端末における構成の一例を表す概略図
【図１０】実施例３のサーバ装置のハードウェア構成の一例を表す図
【図１１】実施例３の宣伝システムにおける端末の処理の手順を示すフローチャート
【図１２】実施例３の宣伝システムにおけるサーバ装置の処理の手順を示すフローチャート
【図１３】実施例４の宣伝システムにおける機能ブロックの一例を表す図
【図１４】実施例４における表示部の一例を示す概念図
【符号の説明】
【００８６】
０２０１  デバイス
０２０２  端末
０２０３  制御部
０２０４  宣伝出力部
０２０５  表示部
０７０６  宣伝情報取得部
０７０７  デバイス制御状況情報出力部
０７０８  サーバ装置
０７０９  デバイス制御状況情報取得部
０７１０  第一宣伝情報出力部
０８１１  デバイス識別情報取得部
０８１２  デバイス識別情報送信部
０８１３  デバイス識別情報取得部
０８１４  第二宣伝情報出力部
１３１５  購入手続情報出力部
【図１】
2014089363.tif 000003
【図２】
2014089363.tif 000004
【図３ａ】
2014089363.tif 000005
【図３ｂ】
2014089363.tif 000006
【図３ｃ】
2014089363.tif 000007
【図４】
2014089363.tif 000008
【図５】
2014089363.tif 000009
【図６】
2014089363.tif 000010
【図７】
2014089363.tif 000011
【図８】
2014089363.tif 000012
【図９】
2014089363.tif 000013
【図１０】
2014089363.tif 000014
【図１１】
2014089363.tif 000015
【図１２】
2014089363.tif 000016
【図１３】
2014089363.tif 000017
【図１４】
2014089363.tif 000018